(57)【特許請求の範囲】
【請求項１】
キャップがねじ止めされる合成樹脂製容器またはその容器をブロー成形するためのプリフォームと一体に設けられるネックリング部であって、該ネックリング部の底面を、前記合成樹脂製容器または前記プリフォームを空回りさせることなく固定保持するための保持面とするネックリング部において、
前記ネックリング部の底面は、該ネックリング部の最外周部に対して内向きに引っ込んだ位置に、当該ネックリング部に厚みを持たせて形成される段差面であり、この段差面を前記保持面としたことを特徴とする、合成樹脂製容器またはその容器をブロー成形するためのプリフォームにおけるネックリング部。
【発明の詳細な説明】
【０００１】
【発明の属する技術分野】
本発明は、キャップがねじ止めされる合成樹脂製容器またはその容器をブロー成形するためのプリフォームと一体に設けられるネックリング部であって、該ネックリング部の底面を、前記合成樹脂製容器または前記プリフォームを空回りさせることなく固定保持するための保持面とするネックリング部に関するものである。
【０００２】
【従来の技術】
飲料容器などの合成樹脂製容器の口部にはキャップを取り付ける必要があるため、アルミ製キャップや合成樹脂製キャップなどが用いられているが、ＰＥＴリサイクルの問題や安全性の問題から、アルミ製キャップから合成樹脂製キャップへの変更が進んでいる。
【０００３】
ところが、アルミ製キャップおよび合成樹脂製キャップはそれぞれ、そのキャッピング方法が若干異なる。以下、図３，４を参照し、合成樹脂製容器の口部にキャップを取り付ける方法を説明する。
【０００４】
図３は、ＰＥＴ（ポリエチレンテレフタレート）樹脂製のボトル容器（以下、ＰＥＴボトル）をブロー成形するために用いられるプリフォーム２０を示す一部断面図である。また図４（ａ），（ｂ）はそれぞれ、プリフォーム２０と一体に設けられたネックリング部２１をネックサポート３０に固定保持した状態を示す要部断面図および、プリフォーム２０に対してキャップをねじ止めした後のネックリング部２１を示す要部断面図である。
【０００５】
まず、アルミ製キャップをキャッピングする場合、ねじを切っていないキャップをプリフォーム２０に形成した口部２０ａに被せ、プリフォーム２０と一体に成形したネックリング部２１の底面２１ｆを、キャッピング装置に設けたネックサポート３０（図４（ａ）参照）に直接押さえつけながら、約１７６４Ｎ（ニュートン）のトップロードをかけてアルミキャップ（図示せず）の周囲を回転するローラで押し潰してねじを切ります。この場合、プリフォーム２０側には、あまり回転トルクがかからないため、プリフォーム２０の空回りを防止するための対策を必要としない。
【０００６】
これに対して、合成樹脂製キャップをキャッピングする場合、予めねじを成形したキャップを回転させながらプリフォーム２０に形成した口部２０ａにキャッピングしていく方式のため、プリフォーム２０に回転トルクがかかってしまう。このため、ネックサポート３０には、図４（ａ）に示す如く、ネックリング部２１の底面２１ｆと接触する部分に、プリフォーム２０の空回りを防止するための対策として爪３１を設けている。
【０００７】
【発明が解決しようとする課題】
しかしながら、プラスチックキャップをキャッピングする場合、プリフォーム２０が空転してしまうと、ネックリング部２１下面の削れが発生し、空転しないように強く押さえると、ネックリング部２１の最外周部２１ｅには、図４（ｂ）に示すバリ２１ｂなどのキズが発生してネックリング部２１の外観を損なうため、後加工によって修正を施さなければならなかったり、爪３１の交換や調整を繁雑に行なわなければならないという不都合があった。
【０００８】
本発明の解決すべき課題は、こうした事実に鑑みてなされたものであって、合成樹脂製容器またはその容器をブロー成形するためのプリフォームにキャップをねじ止めしたときに、この合成樹脂製容器またはプリフォームと一体に設けたネックリング部の最外周部にキズが発生することを防止することにある。
【０００９】
【課題を解決するための手段】
この課題を解決するため、第１発明に係る、合成樹脂製容器またはその容器をブロー成形するためのプリフォームにおけるネックリング部は、キャップがねじ止めされる合成樹脂製容器またはその容器をブロー成形するためのプリフォームと一体に設けられるネックリング部であって、該ネックリング部の底面を、前記合成樹脂製容器または前記プリフォームを空回りさせることなく固定保持するための保持面とするネックリング部において、このネックリング部の底面は、該ネックリング部の最外周部に対して内向きに引っ込んだ位置に、当該ネックリング部に厚みを持たせて形成される段差面であり、この段差面を前記保持面としたことを特徴とするものである。
【００１０】
【発明の実施の形態】
以下、図面を参照して本発明を詳細に説明する。なお、本実施形態は、プリフォームをブロー成形したＰＥＴボトルにキャップを取り付ける場合で説明し、プリフォームの基本形状は図３，４を参照する。また本実施形態において、図３，４と同一部分は同一符号をもってその説明を省略する。
【００１１】
図１（ａ），（ｂ）はそれぞれ、本発明の一実施形態であるＰＥＴボトル１０のネックリング部１１を示す要部断面図と、従来のブロー成形される前のプリフォーム２０のネックリング部２１を示す要部断面図である。また図２（ａ），（ｂ）はそれぞれ、ＰＥＴボトル１０と一体に設けられたネックリング部１１をネックサポート３０に固定保持した状態を示す要部断面図および、ＰＥＴボトル１０に対してキャップをねじ止めした後のネックリング部１１を示す要部断面図である。
【００１２】
本実施形態において、ネックリング部１１の保持面は、図１（ａ）に示す如く、このネックリング部１１の最大径φmaxよりも小さな径φoからなる段差１２の段差面１２ｆである。具体的には、ネックリング部１１の最外周部１１ｅに対してΔｘだけ内向きに引っ込んだ厚みΔｄを有する形状となる。
【００１３】
この場合、段差面１２ｆにバリ１２ｂなどのキズがついても、引っ込み量Δｘによって、ネックリング部１１の最外周部１１ｅを越えて広がらない。つまり、プラスチックキャップをキャッピングするときに、ＰＥＴボトル１０が空転しないようにトップロードをかけるために、段差１２の段差面１２ｆにバリ１２ｂが生じることになり、ネックリング１１の最外周部１１ｅにはバリなどのキズが発生しない。
【００１４】
従って本実施形態によれば、ＰＥＴボトル１０にキャップをねじ止めしたときに、このＰＥＴボトル１０と一体に設けたネックリング部１１の最外周部１１ｅに発生するバリなどのキズを防止することができるため、ネックリング１１に行う後加工が不要となるという利点が得られる。
【００１５】
加えて本実施形態によれば、ネックサポート３０に設けた爪３１の食い込む部分が段差面１２ｆに限定されるから、爪３１がより深く食い込んでＰＥＴボトル１０の空回り発生をさらに抑制するため、段差面１２ｆの削れ滓の発生を防止することができる。
【００１６】
上述したところは、本発明の好適な実施形態を示したに過ぎず、当業者によれば、請求の範囲において、種々の変更を加えることができる。例えば、合成樹脂製容器の形状は、キャップをねじ止めする容器であれば、ボトルに限ることなく、その材質もＰＥＴ樹脂に限定されるものではない。さらにキャップに関しても、ねじ止めによる所謂、スクリューキャップであれば、合成樹脂製キャップ以外に、アルミなどの金属製キャップであってもよい。
【００１７】
【発明の効果】
従って第１発明である、合成樹脂製容器またはその容器をブロー成形するためのプリフォームにおけるネックリング部は、このネックリング部の底面は、該ネックリング部の最外周部に対して内向きに引っ込んだ位置に、当該ネックリング部に厚みを持たせる段差面であり、この段差面を前記保持面としたから、この段差面にキズがついても、段差面の引っ込み量によって、バリなどがネックリング部の最外周部を越えて広がらない。つまり、本発明では、キャップをキャッピングするときに、合成樹脂製容器またはプリフォームが空転しないようにトップロードをかけても、段差面にバリなどのキズが生じることになり、ネックリング部の最外周部にはバリなどのキズが発生しない。
【００１８】
従って本発明によれば、合成樹脂製容器またはその容器をブロー成形するためのプリフォームにキャップをねじ止めしたときに、この合成樹脂製容器またはプリフォームと一体に設けたネックリング部の最外周部に発生するキズを防止することができるため、ネックリング部に行う後加工が不要となると共に、爪の交換・調整の回数を削減することが可能になるという利点が得られる。
【００１９】
加えて本発明によれば、合成樹脂製容器またはその容器をブロー成形するためのプリフォームを保持する部分が段差面に限定されるから、例えば、段差面を爪などで保持する場合、この爪がより深く食い込んで合成樹脂製容器またはプリフォームの空回り発生をさらに抑制するため、段差面の削れ滓の発生を防止することができる。
【図面の簡単な説明】
【図１】  （ａ），（ｂ）はそれぞれ、本発明の一実施形態であるＰＥＴボトルのネックリング部を示す要部断面図と、従来のプリフォームのネックリング部を示す要部断面図である。
【図２】  （ａ），（ｂ）はそれぞれ、同実施形態のＰＥＴボトルと一体に設けられたネックリング部をネックサポートに固定保持した状態を示す要部断面図および、ＰＥＴボトルに対してキャップをねじ止めした後のネックリング部を示す要部断面図である。
【図３】  ＰＥＴボトルをブロー成形するために用いられるプリフォームを示す一部断面図である。
【図４】  （ａ），（ｂ）はそれぞれ、ＰＥＴボトルと一体に設けられた従来のネックリング部をネックサポートに固定保持した状態を示す要部断面図および、同ＰＥＴボトルに対してキャップをねじ止めした後の従来のネックリング部を示す要部断面図である。
【符号の説明】
１０  ＰＥＴボトル
１０ａ  口部
１１  ネックリング部
１１ｅ  ネックリング部の最外周部
１２  段差
１２ｆ  段差面
３０  ネックサポート
３１  爪
【図１】
0003884649.tif 000002
【図２】
0003884649.tif 000003
【図３】
0003884649.tif 000004
【図４】
0003884649.tif 000005